(57)【特許請求の範囲】
【請求項１】
第１の間柱と第２の間柱と第１のブリッジ部材と第２のブリッジ部材との間の連結体であって、
ａ．前面及び反対面を有する前記第１の間柱であって、前記反対面は、前記第１の間柱の対向側面上において前記前面から側方に位置し、前記第１の間柱は、前記第１の間柱の前記前面と前記反対面との間を連絡する自体を貫通する開口を有する、前記第１の間柱と、
ｂ．前面及び反対面を有する前記第２の間柱であって、前記反対面は、前記第２の間柱の対向側面上において前記前面から側方に位置し、前記第２の間柱は、前記第１の間柱に対して実質的に平行に配設され、前記第１の間柱から選択距離だけ離間され、前記第２の間柱の前記反対面は、前記第１の間柱の前記前面に対面し、前記前面に対して平行に位置し、前記第２の間柱は、前記第２の間柱の前記前面と前記反対面との間を連絡する自体を貫通する開口を有する、前記第２の間柱と、
ｃ．前記第１の間柱に係合し前記第１の間柱の前記開口に受けられる前記第１のブリッジ部材であって、前記第１のブリッジ部材は、長手方向中心軸線を有し、取付部分並びに前記取付部分の各側の対向し合う第１の連結部分及び第２の連結部分が、前記長手方向中心軸線に沿って位置し、前記第１のブリッジ部材の前記取付部分は、前記第１の間柱の前記開口に受けられ、前記第２の連結部分は、前記第１の間柱の前記反対面から及びさらに前記第２の間柱の前記反対面から実質的に離れるように突出し、前記第１のブリッジ部材の前記第１の連結部分は、前記第１の間柱の前記前面から離れるように突出し、前記第２の間柱の前記反対面の方向に延在する、前記第１のブリッジ部材と、
ｄ．前記第２の間柱に係合し前記第２の間柱の前記開口に受けられる前記第２のブリッジ部材であって、前記第２のブリッジ部材は、長手方向中心軸線を有し、取付部分並びに前記取付部分の各側の対向し合う第１の連結部分及び第２の連結部分が、前記第２のブリッジ部材の前記長手方向軸線に沿って位置し、前記第２のブリッジ部材の前記取付部分は、前記第２の間柱に係合し、前記第２の間柱の前記開口に受けられ、前記第２の連結部分は、前記第２の間柱の前記反対面から実質的に離れるように突出し、前記第１の間柱の前記前面に向かって延在し、前記第２のブリッジ部材の前記第２の連結部分は、前記第２の間柱が前記第１の間柱により連結固定されるように、前記第１のブリッジ部材の前記第１の連結部分に係合し、前記第２のブリッジ部材の前記第１の連結部分は、前記第２の間柱の前記前面から離れるように突出し、前記第１の間柱の前記前面から離れるように突出する、前記第２のブリッジ部材と、
ｅ．第１の本体部分を有する前記第１のブリッジ部材の前記取付部分であって、前記第１の本体部分は、前記第１の本体部分にある角度で装着された第１の側部フランジを有し、また、前記取付部分の前記第１の本体部分は、第１のウェブ接合部分及び第２のウェブ接合部分を有する第１の内方エッジをさらに有し、前記第１の内方エッジは、前記第１の間柱の前記前面に接触するか又は前記前面に緊密に近接して位置する、前記第１のブリッジ部材の前記取付部分と、
ｆ．前記第１の間柱中の前記開口を貫通するネックにより前記第１の本体に結合された第２の本体部分を有する前記第１のブリッジ部材の前記取付部分であって、前記第２の本体部分は、前記第２の本体にある角度で装着された第１の側部フランジを有し、前記取付部分の前記第２の本体部分は、前記第１の間柱の前記反対面に対面する第１の内方エッジを有し、前記第１の内方エッジは、第３のウェブ接合部分及び第４のウェブ接合部分を有し、前記第１の内方エッジは、前記第１の間柱の前記反対面に接触するか又は前記反対面に緊密に近接して位置する、前記第１のブリッジ部材の前記取付部分と
を備え、
前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、連結体。
【請求項２】
前記第１の本体部分の前記第１の側部フランジは、前記第１の壁間柱の中央ウェブに接触するか又は前記中央ウェブに緊密に近接して位置する内方エッジを有する、請求項１に記載の連結体。
【請求項３】
前記第２の本体部分の前記第１の側部フランジは、前記第１の壁間柱の前記中央ウェブに接触するか又は前記中央ウェブに緊密に近接して位置する内方エッジを有する、請求項１に記載の連結体。
【請求項４】
前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項３に記載の連結体。
【請求項５】
第２の側部フランジが前記第１の本体部分にある角度で装着される、請求項１に記載の連結体。
【請求項６】
前記第１の本体部分の前記第２の側部フランジは、前記第１の壁間柱の前記中央ウェブに接触するか又は前記中央ウェブに緊密に近接して位置する内方エッジを有する、請求項５に記載の連結体。
【請求項７】
前記第１の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項６に記載の連結体。
【請求項８】
第２の側部フランジが前記第２の本体部分にある角度で装着される、請求項１に記載の連結体。
【請求項９】
前記第２の本体部分の前記第２の側部フランジは、前記第１の壁間柱の前記中央ウェブに接触するか又は前記中央ウェブに緊密に近接して位置する内方エッジを有する、請求項８に記載の連結体。
【請求項１０】
前記第２の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項９に記載の連結体。
【請求項１１】
前記第１の本体部分は実質的に平坦である、請求項１に記載の連結体。
【請求項１２】
前記第２の本体部分は、実質的に平坦であり、前記第１の本体部分と実質的に同一平面内に位置する、請求項１に記載の連結体。
【請求項１３】
前記第１のブリッジ部材及び前記第２のブリッジ部材の前記第１の連結部分及び前記第２の連結部分は、溝形状である、請求項１に記載の連結体。
【請求項１４】
前記第１のブリッジ部材及び前記第２のブリッジ部材のそれぞれの前記第１の連結部分は、第１の幅を有し、前記第１のブリッジ部材及び前記第２のブリッジ部材のそれぞれの前記第２の連結部分は、異なる第２の幅を有し、前記第１の幅及び前記第２の幅の一方は、前記第１のブリッジ部材及び前記第２のブリッジ部材の一方の前記第２の連結部分が前記第１のブリッジ部材及び前記第２のブリッジ部材の他方の前記第１の連結部分に入れ子式に係合し得るように、前記第１の幅及び前記第２の幅の他方よりも若干広い、請求項１３に記載の連結体。
【請求項１５】
前記第１のブリッジ部材及び前記第２のブリッジ部材の前記第１の連結部分及び前記第２の連結部分のうち少なくとも一つの連結部分が、前記少なくとも一つの連結部分の切取り調整を可能にするための切欠部を有する、請求項１に記載の連結体。
【請求項１６】
前記第１のブリッジ部材及び前記第２のブリッジ部材を結合するための固定具を備える、請求項１に記載の連結体。
【請求項１７】
ａ．前記第２のブリッジ部材の前記取付部分は、第１の本体部分を有し、前記第１の本体部分は、前記第１の本体部分にある角度で装着された第１の側部フランジを有し、前記取付部分の前記第１の本体部分は、第１のウェブ接合部分及び第２のウェブ接合部分を有する第１の内方エッジをさらに有し、前記第１の内方エッジは、前記第２の間柱の前記前面に接触するか又は緊密に近接して位置し、
ｂ．前記第２のブリッジ部材の前記取付部分は、前記第２の間柱中の前記開口を貫通するネックにより前記第１の本体部分に結合された第２の本体部分を有し、前記第２の本体部分は、前記第２の本体部分にある角度で装着された第１の側部フランジを有し、前記取付部分の前記第２の本体部分は、前記第２の間柱の前記反対面に対面する第１の内方エッジを有し、前記第１の内方エッジは、第３のウェブ接合部分及び第４のウェブ接合部分を有し、第１の内方エッジは、前記第２の間柱の前記反対面に接触するか又は緊密に近接して位置する、請求項１に記載の連結体。
【請求項１８】
前記第１の本体部分の前記第１の側部フランジは、前記第１の壁間柱の前記中央ウェブに接触するか又は緊密に近接して位置する内方エッジを有する、請求項１７に記載の連結体。
【請求項１９】
前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項１８に記載の連結体。
【請求項２０】
前記第２の本体部分の前記第１の側部フランジは、前記第１の壁間柱の前記中央ウェブに接触するか又は緊密に近接して位置する内方エッジを有する、請求項１７に記載の連結体。
【請求項２１】
前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項２０に記載の連結体。
【請求項２２】
第１の間柱と第２の間柱と第１のブリッジ部材と第２のブリッジ部材との間の連結体であって、
ａ．前面及び反対面を有する前記第１の間柱であって、前記反対面は、前記第１の間柱の対向側面上において前記前面から側方に位置し、前記第１の間柱は、前記第１の間柱の前記前面と前記反対面との間を連絡する自体を貫通する開口を有する、前記第１の間柱と、
ｂ．前面及び反対面を有する前記第２の間柱であって、前記反対面は、前記第２の間柱の対向側面上において前記前面から側方に位置し、前記第２の間柱は、前記第１の間柱に対して実質的に平行に配設され、前記第１の間柱から選択距離だけ離間され、前記第２の間柱の前記反対面は、前記第１の間柱の前記前面に対面し、前記前面に対して平行に位置し、前記第２の間柱は、前記第２の間柱の前記前面と前記反対面との間を連絡する自体を貫通する開口を有する、前記第２の間柱と、
ｃ．前記第１の間柱に係合し前記第１の間柱の前記開口に受けられる前記第１のブリッジ部材であって、前記第１のブリッジ部材は、長手方向中心軸線を有し、取付部分並びに前記取付部分の各側の対向し合う第１の連結部分及び第２の連結部分が、前記長手方向中心軸線に沿って位置し、前記第１のブリッジ部材の前記取付部分は、前記第１の間柱の前記開口に受けられ、前記第２の連結部分は、前記第１の間柱の前記反対面から及びさらに前記第２の間柱の前記反対面から実質的に離れるように突出し、前記第１のブリッジ部材の前記第１の連結部分は、前記第１の間柱の前記前面から離れるように突出し、前記第２の間柱の前記反対面の方向に延在する、前記第１のブリッジ部材と、
ｄ．前記第２の間柱に係合し前記第２の間柱の前記開口に受けられる前記第２のブリッジ部材であって、前記第２のブリッジ部材は、長手方向中心軸線を有し、取付部分並びに前記取付部分の各側の対向し合う第１の連結部分及び第２の連結部分が、前記第２のブリッジ部材の前記長手方向軸線に沿って位置し、前記第２のブリッジ部材の前記取付部分は、前記第２の間柱に係合し、前記第２の間柱の前記開口に受けられ、前記第２の連結部分は、前記第２の間柱の前記反対面から実質的に離れるように突出し、前記第１の間柱の前記前面に向かって延在し、前記第２のブリッジ部材の前記第２の連結部分は、前記第２の間柱が前記第１の間柱により連結固定されるように、前記第１のブリッジ部材の前記第１の連結部分に係合し、前記第２のブリッジ部材の前記第１の連結部分は、前記第２の間柱の前記前面から離れるように突出し、前記第１の間柱の前記前面から離れるように突出する、前記第２のブリッジ部材と、
ｅ．第１の本体部分を有する前記第１のブリッジ部材の前記取付部分であって、前記第１の本体部分は、前記第１の本体部分にある角度で装着された第１の側部フランジを有し、前記第１の側部フランジは、前記第１の壁間柱の前記中央ウェブに接触するか又は緊密に近接して位置する内方エッジを有し、前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、前記第１のブリッジ部材の前記取付部分と、
ｆ．前記第１の間柱中の前記開口を貫通するネックにより前記第１の本体に結合された第２の本体部分を有する前記第１のブリッジ部材の前記取付部分であって、前記第２の本体部分は、前記第２の本体にある角度で装着された第１の側部フランジを有し、前記第２の本体部分の前記第１の側部フランジは、前記第１の壁間柱の中央ウェブに接触するか又は緊密に近接して位置する内方エッジを有し、前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、前記第１のブリッジ部材の前記取付部分と
を備える、連結体。
【請求項２３】
第２の側部フランジが前記第１の本体部分に対してある角度で装着される、請求項２２に記載の連結体。
【請求項２４】
前記第１の本体部分の前記第２の側部フランジは、前記第１の壁間柱の前記中央ウェブに接触するか又は緊密に近接して位置する内方エッジを有する、請求項２３に記載の連結体。
【請求項２５】
前記第１の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項２４に記載の連結体。
【請求項２６】
第２の側部フランジが前記第２の本体部分に対してある角度で装着される、請求項２２に記載の連結体。
【請求項２７】
前記第２の本体部分の前記第２の側部フランジは、前記第１の壁間柱の前記中央ウェブに接触するか又は緊密に近接して位置する内方エッジを有する、請求項２６に記載の連結体。
【請求項２８】
前記第２の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項２７に記載の連結体。
【請求項２９】
前記第１の本体部分は実質的に平坦である、請求項２２に記載の連結体。
【請求項３０】
前記第２の本体部分は、実質的に平坦であり、前記第１の本体部分と実質的に同一平面内に位置する、請求項２２に記載の連結体。
【請求項３１】
前記第１のブリッジ部材及び前記第２のブリッジ部材の前記第１の連結部分及び前記第２の連結部分は、溝形状である、請求項２２に記載の連結体。
【請求項３２】
前記第１のブリッジ部材及び前記第２のブリッジ部材のそれぞれの前記第１の連結部分は、第１の幅を有し、前記第１のブリッジ部材及び前記第２のブリッジ部材のそれぞれの前記第２の連結部分は、異なる第２の幅を有し、前記第１の幅及び前記第２の幅の一方は、前記第１のブリッジ部材及び前記第２のブリッジ部材の一方の前記第２の連結部分が前記第１のブリッジ部材及び前記第２のブリッジ部材の他方の前記第１の連結部分に入れ子式に係合し得るように、前記第１の幅及び前記第２の幅の他方よりも若干広い、請求項３１に記載の連結体。
【請求項３３】
ａ．前記第２のブリッジ部材の前記取付部分は、第１の本体部分を有し、前記第１の本体部分は、前記第１の本体部分にある角度で装着された第１の側部フランジを有し、前記第１の側部フランジは、前記第２の間柱の前記中央ウェブに接触するか又は緊密に近接して位置する内方エッジを有し、前記第１の本体部分の前記第１の側部フランジは、前記第２のブリッジ部材の前記長手方向軸線に対して鋭角で設置されることにより、前記第１の側部フランジは、前記第２の壁間柱の前記中央ウェブに接近するにしたがって前記長手方向中心軸線から外方へとフレア状に広がり、
ｂ．前記第２のブリッジ部材の前記取付部分は、前記第２の間柱中の前記開口を貫通するネックにより前記第１の本体部分に結合された第２の本体部分を有し、前記第２の本体部分は、前記第２の本体部分にある角度で装着された第１の側部フランジを有し、前記第２の本体の前記第１の側部フランジは、前記第２の壁間柱の前記中央ウェブに接触するか又は緊密に近接して位置する内方エッジを有し、前記第２の本体部分の前記第１の側部フランジは、前記第２のブリッジ部材の前記長手方向軸線に対して鋭角で設置されることにより、前記第１の側部フランジは、前記第２の間柱の前記中央ウェブに接近するにしたがって前記長手方向中心軸線から外方へとフレア状に広がる、請求項２２に記載の連結体。
【請求項３４】
請求項１に記載の前記連結体を作製する方法であって、
ａ．前記第１の本体部分の前記第１の側部フランジの前記第１の内方エッジが前記第１の間柱の前記中央ウェブに隣接して位置するように、前記第１の壁間柱の前記中央ウェブに隣接して前記第１のブリッジ部材の前記第１の本体部分を配置するステップと、
ｂ．前記第１の本体部分の前記第１の側部フランジの前記第１の内方エッジが前記第２の間柱の前記中央ウェブに隣接して位置するように、前記第２の壁間柱の前記中央ウェブに隣接して前記第２のブリッジ部材の前記第１の本体部分を配置するステップと、
前記第１のブリッジ部材の前記第１の連結部分に前記第２のブリッジ部材の前記第２の連結部分を固定するステップと
を含む、方法。
【発明の詳細な説明】
【技術分野】
【０００１】
本発明は、鋼間柱建物外壁システムに関し、特に、鋼間柱を安定化させて、かかるシステムにおける側方移動及びねじれを防止するための装置に関する。
【背景技術】
【０００２】
多数の建物が、鋼間柱外壁構造で建設される。外壁が、木材又は鋼の任意の種類の間柱を用いて建造される場合には、一般的には側方移動及びねじれを防ぐために一連の間柱を相互に固定することが望ましい。鋼間柱外壁では、典型的には、細長鋼ブリッジ部材が、一連の垂直間柱中の事前穿孔された開口に水平方向に挿通されることにより、これらの一連の間柱を整列状態に維持する。鋼間柱は、直線状である場合には優れた柱強度を有するが、その強度の大部分は、間柱がねじれると失われる。鋼間柱は、特にねじれに対して脆弱であるため、典型的には溝形状であり水平ウェブ及び２つの垂直側部フランジを有するブリッジ部材は、トルク抵抗を最大化するために垂直間柱中の開口にぴったりと嵌るように作製される。機械トルクに加えて、金属間柱は、延焼遮断体としての役割を果たす乾式壁被覆材が破壊された場合には、火の熱に反応してねじれるか又は曲がる恐れがある。金属間柱がねじれるか又は曲がった場合には、それらは重量支持能力を喪失するため、火によって直接的に引き起こされる被害を増大させる。
【０００３】
開口にぴったりと受けられた溝形状ブリッジ部材が、間柱のねじれの抑制を補助し得る場合には、幾分かのねじれは依然として生じ得るものの、間柱は外壁に対して平行に移動し得るか又は曲がり得る。単純な直角のものをはじめとする様々な金属シート・ブラケットが、溝形状ブリッジ部材と共に使用されることにより、この移動又は曲げを防止する。これらのブラケットは、別個の固定具により間柱及びブリッジ部材に連結されて、間柱及びブリッジ部材の一方又は固定具及びインターロック形状部の組合せに係合するブラケット上の部分にインターロックし得る。
【０００４】
また、先行技術は、隣接し合う間柱同士のみに架かり端部を有する短尺ブリッジ部材を含む。これらの端部は、壁間柱中の開口に挿通された延長部によってそれらの壁間柱に対して及び／又は相互に固定するように作製される。これらのブリッジ部材は、典型的には固定長さを有する。Ｊｏｈｎ  Ｐ．Ｈｕｇｈｅｓに付与された米国特許第６，１６４，０２８号は、各ブリッジ部材のウェブの一端部を、間柱中の開口を貫通して延在し、両側で間柱のウェブをぴったりと受け、さらにその延在部に別のブリッジ部材の端部を装着するように形成することによって、かかる短尺ブリッジ部材同士を連結するシステムを教示する。
【０００５】
また、先行技術は、ブリッジ部材を壁間柱中の開口に挿通させ得るだけでなく、これらの開口の両側にて壁間柱のウェブに噛みあわせ得る、一連のスロットを有する細長ブリッジ部材を含む。Ｗｉｌｌｉａｍ  Ｌ．Ｅｌｄｅｒｓｏｎに付与された米国特許第７，１６８，２１９号は、かかるブリッジ部材を教示する。また、米国特許第７，１６８，２１９号は、このような方式で２つの並列する間柱のみに連結するように設計された特殊ブリッジ部材を教示する。
【先行技術文献】
【特許文献】
【０００６】
【特許文献１】米国特許第６，１６４，０２８号
【特許文献２】米国特許第７，１６８，２１９号
【発明の概要】
【発明が解決しようとする課題】
【０００７】
本発明の目的は、様々な外壁環境において迅速に設置され得る、及び側方荷重及びねじり荷重の両方に耐える強力な連結体を形成し得る、ブリッジ部材を提供することである。
【課題を解決するための手段】
【０００８】
本発明は、他のブリッジ部材と直列で使用された場合に、鋼間柱から構成される建物外壁をしっかりと連結及び安定化するブリッジ部材を提供する。これらのブリッジ部材は、外壁部分中の各間柱中の開口を貫通する。ブリッジ部材は、間柱を貫通して設置された場合に、間柱を外壁の長さ方向に沿って整列状態に維持するように設計される。
【０００９】
本発明は、非常に優れたねじれ剛性を実現するために壁間柱のウェブにインターロックするエッジを有するブリッジ部材を提供する。これらのエッジは、ブリッジ部材の本体プレート及びブリッジ部材の対角方向配設フランジにより連結固定され、これによりかなりの高荷重に耐え得る。
【００１０】
本発明においては、側方に離間された第１の間柱及び第２の間柱は、第１のブリッジ部材及び第２のブリッジ部材により連結及び固定される。間柱は、前面と、対向側面上において前面から側方に位置する反対面とを備え、前面と反対面との間を連絡する自体を貫通する開口を有する。第２の間柱は、第１の間柱に対して実質的に平行に配設され、第１の間柱から選択距離だけ離間され、第２の間柱の反対面は、第１の間柱の前面に対面し、前面に対して平行に位置する。
【００１１】
本発明においては、第１のブリッジ部材及び第２のブリッジ部材は、第１の間柱及び第２の間柱のそれぞれの開口に係合し受けられるように形成される。第１のブリッジ部材及び第２のブリッジ部材は、それぞれ長手方向中心軸線を有し、取付部分並びに取付部分の各側の対向し合う第１の連結部分及び第２の連結部分が、この長手方向中心軸線に沿って位置する。第１のブリッジ部材の取付部分は、第１の間柱の開口に受けられ、第２のブリッジ部材の取付部分は、第２の間柱の開口に受けられる。第１のブリッジ部材の第２の連結部分は、第１の間柱の反対面から及びさらには第２の間柱の反対面から実質的に離れるように突出し、第１のブリッジ部材の第１の連結部分は、第１の間柱の前面から離れるように突出し、第２の間柱の反対面に向かって延在する。第２のブリッジ部材の第２の連結部分は、第２の間柱の反対面から実質的に離れるように突出し、第１の間柱の前面に向かって延在し、第２のブリッジ部材の第２の連結部分は、第２の間柱が第１の間柱により連結固定されるように、第１のブリッジ部材の第１の連結部分に係合する。第２のブリッジ部材の第１の連結部分は、第２の間柱の前面から離れるように突出し、第１の間柱の前面から離れるように突出する。
【００１２】
第２のブリッジ部材の第１の連結部分は、第１のブリッジ部材の第２の連結部分の場合と同様に、本発明にしたがって作製された別のブリッジ部材の第２の連結部分に連結され得る。
【００１３】
本発明によれば、複数の間柱間に連結体を作製するブリッジ部材の中の１つ又は複数が、第１の本体部分と、間柱中の開口に嵌挿され得るネックにより第１の本体部分に連結された第２の本体部分とを有する取付部分を備える。第１の本体部分及び第２の本体部分は、それぞれある角度で装着された１つ又は複数の側部フランジを有し、また、各本体部分は、第１のウェブ接合部分及び第２のウェブ接合部分を有する第１の内方エッジを有し、ブリッジ部材が壁間柱に係合すると、第１の本体部分及び第２の本体部分の第１の内方エッジは、間柱の両面において間柱のウェブに接触するか又は緊密に近接して位置する。
【００１４】
本発明によれば、複数の間柱間に連結体を作製するブリッジ部材の中の１つ又は複数が、第１の本体部分と、間柱中の開口に嵌挿され得るネックにより第１の本体部分に連結された第２の本体部分とを有する取付部分を備える。第１の本体部分及び第２の本体部分は、それぞれある角度で装着された１つ又は複数の側部フランジを有し、これらの側部フランジは、ブリッジ部材が壁間柱に係合する場合に壁間柱の中央ウェブに接触するか又は緊密に近接して位置する内方エッジを有する。１つ又は複数の側部フランジは、ブリッジ部材の長手方向軸線に対して鋭角で設置されることにより、１つ又は複数の側部フランジは、間柱の中央ウェブに接近するにしたがって長手方向中心軸線から外方へとフレア状に広がる。
【００１５】
本発明によれば、第１の本体部分及び第２の本体部分は、実質的に平坦であり、実質的に同一平面内に位置する。
【００１６】
本発明によれば、第１のブリッジ部材及び第２のブリッジ部材の第１の連結部分及び第２の連結部分は、溝形状であり、第１のブリッジ部材及び第２のブリッジ部材のそれぞれの第１の連結部分は、第１の幅を有し、第１のブリッジ部材及び第２のブリッジ部材のそれぞれの第２の連結部分は、異なる第２の幅を有し、これらの幅の一方は、連結部分同士が入れ子式に係合するように、他方よりも若干広い。
【００１７】
また、本発明は、本発明のブリッジ部材の中の１つ又は複数を用いて複数の間柱間の連結体を作製する方法を包含する。１つ又は複数のブリッジ部材の第１の本体部分は、第１の本体部分の第１の側部フランジの第１の内方エッジが間柱の中央ウェブに隣接して位置するように、複数の壁間柱の中央ウェブに隣接して配置され、ブリッジ部材の第２の連結部分は、ブリッジ部材の第１の連結部分に固定される。
【００１８】
好ましい実施例においては、ブリッジ部材の取付部分の対角方向配設フランジは、ブリッジ部材の延長長手方向軸線に対して平行に延在するブリッジ部材の第１の連結部分及び第２の連結部分の平行長尺フランジと合流する。
【００１９】
本発明によれば、ブリッジ部材の第１の連結部分及び第２の連結部分は、様々な長さであることが可能であり、切欠部が、連結部分の切取り調整を可能にするために連結部分の長尺フランジ中に設けられ得る。好ましくは、連結部分は、隣接し合う間柱間の標準間隔にわたって架かるように複数のブリッジ部材を共に使用することに対応した選択位置にて切欠部を設けられてもよい。
【００２０】
ブリッジ部材と壁間柱との間のインターロック連結の非常に優れた強度により、ブリッジ部材は、固定具を使用することなく壁間柱にしっかりと連結され得る。
【図面の簡単な説明】
【００２１】
【図１】２つの典型的な冷間成形鋼壁間柱が本発明のブリッジ部材により結合された外壁部分を示す、本発明の上方前方右側斜視図である。
【図２】壁間柱に挿通され第１の端部にて別のブリッジ部材に連結された第１のブリッジ部材と、第２の壁間柱に挿通可能な状態にある第２のブリッジ部材とを示す、本発明の上方前方右側斜視図である。図中の矢印は、開口に第２のブリッジ部材を挿入するための想定される経路を示す。
【図３】第２の壁間柱に挿通されたがまだ第２の間柱のウェブに係合していない第２のブリッジ部材を示す、図２と同様の本発明の上方前方右側斜視図である。矢印は、第２の壁間柱のウェブに係合するように第２のブリッジ部材を回転させるための想定される方向を示す。
【図４】第２の壁間柱に挿通され第２の壁間柱のウェブに係合している第２のブリッジ部材を示す、図３と同様の本発明の上方前方右側斜視図である。ねじは、第２のブリッジ部材に第１のブリッジ部材を連結し得る状態で示される。
【図５】典型的な冷間成形鋼壁間柱と本発明のブリッジ部材の好ましい形態との間で形成された連結体の上面平面図である。
【図６】本発明のブリッジ部材の好ましい形態の上方後方左側斜視図である。
【図７】本発明のブリッジ部材の好ましい形態の下方後方左側斜視図である。
【図８】本発明のブリッジ部材の好ましい形態の上面平面図である。
【図９】本発明のブリッジ部材の好ましい形態の底面平面図である。
【図１０】本発明のブリッジ部材の好ましい形態の右側立面図である。左側立面図は同一である。
【図１１】本発明のブリッジ部材の好ましい形態の正面立面図である。
【図１２】本発明のブリッジ部材の好ましい形態の背面立面図である。
【図１３】本発明のブリッジ部材の好ましい形態の上方後方左側斜視図である。矢印及びブリッジ部材端部間の点線は、ブリッジ部材がブリッジ部材の長さを変更するために破断され得る位置を示す。
【図１４】より近接して離間された間柱に対応するように短縮されたブリッジ部材の好ましい形態の上方後方左側斜視図である。
【図１５】２つの典型的な冷間成形鋼壁間柱が本発明のブリッジ部材により結合され第１のブリッジ部材の中の１つが短縮された外壁部分を示す、本発明の上方前方右側斜視図である。
【図１６】より近接して離間された間柱に対応するように短縮されたブリッジ部材の好ましい形態の上方後方左側斜視図である。
【図１７】２つの典型的な冷間成形鋼壁間柱が本発明のブリッジ部材により結合され第１のブリッジ部材の中の１つが短縮された外壁部分を示す、本発明の上方前方右側斜視図である。
【発明を実施するための形態】
【００２２】
図１に示すように、本発明は、複数の実質的に垂直な壁間柱２及び２０２と、複数の実質的に水平な相互連結ブリッジ部材１９及び２１９とを備える建築用連結体１である。壁間柱２及び２０２は、典型的には、建物外壁の骨組み内の複数の連続配置された冷間成形鋼間柱２及び２０２の中の１つである。ブリッジ部材１９及び２１９は、複数の壁間柱２及び２０２と接合する、別個の好ましくは冷間成形鋼部材である。第１のブリッジ部材１９及び第２のブリッジ部材２１９はそれぞれ、好ましくは整列状態にある長手方向中心軸線６０及び２６０を有する。各ブリッジ部材１９及び２１９は、取付部分６２及び２６２と、長手方向中心軸線６０及び２６０に沿った取付部分６２及び２６２の両側に相互に対向する第１の連結部分６１及び２６１並びに第２の連結部分６３及び２６３とを有する。第１のブリッジ部材１９の取付部分６２は、第１の間柱２の開口８に受けられ、第２のブリッジ部材２１９の取付部分２６２は、第２の間柱２０２の開口８に受けられる。第１のブリッジ部材１９の第２の連結部分６３は、第１の間柱２の反対面７から及びさらには第２の間柱２０２の反対面２０７から実質的に離れるように突出し、第１のブリッジ部材１９の第１の連結部分６１は、第１の間柱２の前面６から離れるように突出し、第２の間柱２０２の反対面２０７に向かって延在する。第２のブリッジ部材２１９の第２の連結部分２６３は、第２の間柱２０２の反対面２０７から実質的に離れるように突出し、第１の間柱２の前面６に向かって延在し、第２のブリッジ部材２１９の第２の連結部分２６３は、第２の間柱２０２が第１の間柱２により連結固定されるように、第１のブリッジ部材１９の第１の連結部分６１に係合する。第２のブリッジ部材２１９の第１の連結部分２６１は、第２の間柱２０２の前面２０６から離れるように突出し、第１の間柱２の前面６から離れるように突出する。第２のブリッジ部材２１９の第１の連結部分２６１は、第１のブリッジ部材１９の第２の連結部分６３の場合と同様に、本発明にしたがって作製された別のブリッジ部材２１９の第２の連結部分２６３に連結され得る。
【００２３】
好ましい実施例においては、ブリッジ部材１９及び２１９は、それらの長さを除けば同一である。好ましくは、第１のブリッジ部材１９及び第２のブリッジ部材２１９の第１の連結部分６１及び２６１並びに第２の連結部分６３及び２６３は、溝形状を有し、第１のブリッジ部材１９及び第２のブリッジ部材２１９のそれぞれの第１の連結部分６１及び２６１は、第１の幅を有し、第１のブリッジ部材１９及び第２のブリッジ部材２１９のそれぞれの第２の連結部分６３及び２６３は、異なる第２の幅を有し、これらの幅の一方は、連結部分同士が入れ子式に係合し合うように、他方よりも若干広い。図面に示すように、第２の連結部分６３及び２６３は、第１の連結部分６１及び２６１内に受けられるように寸法設定される。
【００２４】
図１は、第１の壁間柱２及び第２の壁間柱２０２を示す。第１の壁間柱２及び第２の壁間柱２０２は、同一である。詳細には、第１の壁間柱２は、第２の壁間柱の識別番号の数字が２００だけ大きいことを除けば、第２の壁間柱と同様に付与された番号で示される。例えば、第１の間柱２の中央ウェブは、数字３で識別されるが、第２の壁間柱２０２の中央ウェブは、２０３である。図５に示すように、第２の間柱２は、第１の側部４及び第２の側部５と、前面６及び反対面７と、前面６と反対面７との間を連絡する開口８とを有する、中央ウェブ３を備える。中央ウェブ３は、典型的には矩形であり、垂直平面を占める。第１の側部フランジ９は、第１の側部４へと一体的に装着される。第２の側部フランジ１０は、第２の側部５へと一体的に装着される。第１の側部フランジ９及び第２の側部フランジ１０は、典型的には矩形であり、相互に平行であり、且つ中央ウェブ３に対して共に直交する垂直平面を占める。壁間柱２又は２０２の中央ウェブ３又は２０３は、典型的には９．２１ｃｍ幅、１５．２ｃｍ幅、又は２０．３ｃｍ幅（３．６３５（３−５／８）インチ幅、６インチ幅、又は８インチ幅）であるが、６．３５ｃｍ（２．５インチ）の狭さ及び３０．５ｃｍ（１２インチ）の広さの壁間柱２又は２０２が存在する。細長開口８は、典型的には３．８１ｃｍ幅（１．５インチ幅）及び８．２６ｃｍ高さ（３．２５インチ高さ）である。第１の側部フランジ９及び第２の側部フランジ１０は、典型的には４．１３ｃｍ幅（１．６２（１−５／８）インチ幅）であるが、５．０８ｃｍ幅（２インチ幅）及び６．３５ｃｍ幅（２．５インチ幅）の第１側部フランジ９及び第２の側部フランジ１０又は第１の側部フランジ２０９及び第２の側部フランジ２１０を有する壁間柱２及び２０２が存在する。第２の間柱２０２は、第１の間柱２に対して実質的に平行に配設され、第１の間柱２から選択距離をおいて離間され、第２の間柱２０２の反対面２０７は、第１の間柱２の前面６に対面しこれに対して平行に配設され、第２の間柱２０２の前面２０６は、第１の間柱２の前面６から離れて対面するように配設される。
【００２５】
図５に示すように、典型的には、第１の補剛フランジ５７は、第１の側部フランジ９に装着され、第２の補剛フランジ５８は、第２の側部フランジ１０に装着される。壁間柱２及び２０２は、ほぼ溝形状を有する。
【００２６】
図１は、第１のブリッジ部材１９及び第２のブリッジ部材２１９を示す。図１に示すように、好ましい実施例においては、第１のブリッジ部材１９及び第２のブリッジ部材２１９は、同一であるが、必ずしもそうである必要はない。図１４〜図１７は、異なる長さを有する第１のブリッジ部材１９及び第２のブリッジ部材２１９を示すが、ブリッジ部材１９及び２１９の他の変形例が、特許請求される本発明の範囲から逸脱することなく可能である。詳細には、第１のブリッジ部材１９は、第２のブリッジ部材の識別番号が２００だけより大きな数字を有することを除けば、第２のブリッジ部材と同様に付与された番号で示される。例えば、第１のブリッジ部材１９の第１の端部ウェブは、１２であるが、第２のブリッジ部材２１９の第１の端部ウェブは、２１２である。
【００２７】
図５〜図１０に示すように、第１のブリッジ部材１９は、第１の端部ウェブ１２を有し、この第１の端部ウェブ１２は、第１の境界フランジ１７及び第２の境界フランジ１８が連結された第１の境界１３及び第２の境界１４を有する。これらの部材は、第１の連結部分６１を構成する。また、ブリッジ部材１９は、ウェブ状の第１の本体２０及び第２の本体２６を有する。第１の本体２０は、好ましくは第１の側部フランジ３５及び第２の側部フランジ３６を有して形成され、第２の本体プレート２６は、第１の側部フランジ４３及び第２の側部フランジ４４を有して形成される。これらの部材は、取付部分６２を構成する。また、第１のブリッジ部材１９は、第２の端部ウェブ５２を有し、この第２の端部ウェブ５２は、境界フランジ１７及び１８が連結された第１の境界１３及び第２の境界１４を有する。これらの部材は、第２の連結部分６３を構成する。
【００２８】
壁間柱２及び２０２並びにブリッジ部材１９及び２１９は、典型的には金属シートから作製されるため、これらのいずれにも複数の主要屈曲部が存在する。典型的には、壁間柱２の中央ウェブ３の第１の側部４及び第２の側部５は、中央ウェブ３を画定するだけでなく、壁間柱２の中央ウェブ３と第１の側部フランジ９及び第２の側部フランジ１０との間の屈曲部及び連結部でもある。第１のフランジ９及び第２のフランジ１０が壁間柱２の中央ウェブ３に合流する第１のフランジ９と第２のフランジ１０との間には、屈曲部及び連結部が存在し、また、第１の側部フランジ９と第２の側部フランジ１０との間及び第１の補剛フランジ５７と第２の補剛フランジ５８との間のそれぞれにも、屈曲部及び連結部が存在する。同様に、ブリッジ部材１９の第１のウェブ１２の第１の境界１３及び第２の境界１４は、典型的には、第１のウェブ１２と第１の境界フランジ１７及び第２の境界フランジ１８との間の屈曲部及び連結部である。また、図１１に示すように、好ましくは、ブリッジ部材１９の第１の本体プレート２０の第１の側部境界３３及び第２の側部境界３４は、ブリッジ部材１９の第１の本体プレート２０と第１の側部フランジ３５及び第２の側部フランジ３６との間の屈曲部及び連結部である。また、図１２に示すように、好ましくは、ブリッジ部材１９の第２の本体プレート２６の第１の側部境界４１及び第２の側部境界４２は、第１のブリッジ部材１９の第２の本体プレート２６と第１の側部フランジ４３及び第２の側部フランジ４４との間の屈曲部及び連結部である。
【００２９】
ブリッジ部材１９の第１の本体プレート２０及び第２の本体プレート２６、並びに第１のウェブ１２及び第２のウェブ５２の金属シートは、これらの部材を補剛するためにエンボス加工され得る一方で、第１の本体２０及び第２の本体２６は、実質的に平坦のままである。
【００３０】
図４に示すように、典型的には、第１の壁間柱２の中央ウェブ３中の細長開口８は、相互に平行であり垂直配向された第１の長尺部分６６及び第２の長尺部分６７と、細長開口８の頂部にて第１の長尺部分６６及び第２の長尺部分６７に結合する第１の凹状部分６８と、第１の凹状部分６８の対向側に位置し、細長開口８の底部にて第１の長尺部分６６及び第２の長尺部分６７に結合する第２の凹状部分６９とを有するエッジ６５を有する。この形状は、凹状部分６８及び６９がほぼ半円形である場合には、オブラウンド（ｏｂｒｏｕｎｄ）、トラック、及びスーパーオーバル（ｓｕｐｅｒ−ｏｖａｌ）と様々に呼ばれる。
【００３１】
図１に示すように、各ブリッジ部材１９及び２１９は、好ましくは、壁間柱２及び２０２中の１つのみの開口８及び２０８と係合状態にあり、それを貫通して延在するが、ブリッジ部材１９及び２１９は、２つ以上の壁間柱２及び２０２と係合する及び／又は２つ以上の壁間柱２及び２０２を貫通して延在するように設計され得る。図５及び図７に示すように、第１のウェブ１２は、第１の境界１３及び第２の境界１４と、内側表面１５及び外側表面１６とを有する。図７、図９、及び図１０に示すように、第１の境界フランジ１７は、第１の境界１３に結合され、第１の境界フランジ１７は、内側表面７１及び外側表面７２を有する。第２の境界フランジ１８は、第２の境界１４に結合され、第２の境界フランジ１８は、内側表面７３及び外側表面７４を有する。第１のウェブ１２は、典型的には矩形であり、水平平面を占める。第１の境界フランジ１７及び第２の境界フランジ１８は、典型的には矩形であり、相互に平行であり、且つ第１の中央ウェブ１２に対して共に直交する垂直平面を占める。ブリッジ部材１９及び２１９の第１のウェブ１２及び第２のウェブ５２は、材料強度と材料節減との間のバランスを実現する任意の選択された幅を有することが可能であり、これは、使用される材料により決定される。図７に示すように、第１の境界フランジ１７は、典型的には第１の外方エッジ７５を有し、第２の境界フランジ１８は、典型的には第２の外方エッジ７６を有する。図５〜図１０に示すように、ブリッジ部材１９の境界フランジ１７及び１８のこれらの第１の外方エッジ７５及び第２の外方エッジ７６は、通常は下方を向くが、上方を向くことも可能である。第２のウェブ５２は、第１の境界フランジ１７及び第２の境界フランジ１８を有して同様に形成される。
【００３２】
図７に示すように、好ましくは、ブリッジ部材１９の第１の本体プレート２０及び第２の本体プレート２６は、ネック３２により結合される。好ましくは、第１の本体プレート２０、第２の本体プレート２６、及びネック３２は、いずれもほぼ平坦である。
【００３３】
図５、図７、及び図１１に示すように、第１の本体２０は、好ましくは内側表面２１と、内側表面２１の反対側の外側表面２２と、第１のウェブ接合部分２４及び第２のウェブ接合部分２５を有する第１の内方エッジ２３とを有する。第１の本体内方エッジ２３は、好ましくは内方エッジ２３付近の内側表面２１及び外側表面２２により画定される。図５、図７、及び図１２に示すように、第２の本体２６は、好ましくは内側表面２７と、内側表面２７の反対側の外側表面２８と、第１のウェブ接合部分３０及び第２のウェブ接合部分３１を有する第１の内方エッジ２９とを有する。第１の内方エッジ２９は、好ましくは第１の内方エッジ２９付近の内側表面２７及び外側表面２８により画定される。好ましくは、第１の取付部材６２の第１の本体２０は、第１の内方エッジ２３の反対側の第１の連結部材６１の第１のウェブ１２に連結され、取付部分６２の第２の本体２６は、第２の本体２６の第１の内方エッジ２９の反対側の第２の連結部材６３の第２のウェブ５２に連結される。好ましくは、第１の本体２０の第１の内方エッジ２３及び第２の本体２６の第１の内方エッジ２９は、実質的に対向位置にある。第１の内方エッジ２３及び２９は、好ましくは同一平面内に位置する。好ましくは、第１の内方エッジ２３及び２９は、第１の本体２０及び第２の本体２６と同一平面を占める。第１の本体２０及び第２の本体２６は、好ましくは壁間柱２の中央ウェブ３に対して第１の内方エッジ２３及び２９を連結固定する。
【００３４】
図５に示すように、ネック３２は、好ましくは第１の内方エッジ２３と２９との間に、特に第１の内方エッジ２３の第１のウェブ接合部分２４と第２のウェブ接合部分２５との間、及び第１の内方エッジ２９の第１のウェブ接合部分３０と第２のウェブ接合部分３１との間に配設される。
【００３５】
好ましくは、接合部分２４、２５、３０、及び３１は、常に壁間柱２の中央ウェブ３と接触状態にあるが、個々の壁間柱の中央ウェブ３の厚さの差異により、及び若しくは不完全な公差により、常には接触状態にない状態で壁間柱２の中央ウェブ３に隣接して位置してもよい。これは、要素がしばしば不完全であるような連結体１に一般的に当てはまる。
【００３６】
好ましくは、ネック３２は、壁間柱２の中央ウェブ３中の細長開口８を貫通する。第１の内方エッジ２３の第１のウェブ接合部分２４及び第２のウェブ接合部分２５は、好ましくは壁間柱２の中央ウェブ３内方表面６又は外方表面７のいずれかと接合する。第２の内方エッジ２９の第１のウェブ接合部分３０及び第２のウェブ接合部分３１は、好ましくは壁間柱２の中央ウェブ３の内方表面６及び外方表面７の他方と接合する。ネック３２は、好ましくは典型的な細長開口８とほぼ同一幅である。好ましくは、最も好ましい実施例の第１の内方エッジ２３は、壁間柱２の中央ウェブ３中の開口８よりも実質的に幅広である。
【００３７】
好ましくは、第１の本体プレート２０は、第１の側部境界３３及び第２の側部境界３４を有する。第１の側部フランジ３５は、好ましくは第１の側部境界３３に装着され、第２の側部フランジ３６は、第２の側部境界３４に装着される。ブリッジ部材１９は、好ましくは金属シートから、好ましくは亜鉛めっき鋼から作製され、第１の側部境界３３及び第２の側部境界３４は、好ましくはブリッジ・コネクタ１９の材料中の屈曲部である。図１１に示すように、好ましくは、第１の側部フランジ３５は、内方表面３７及び内方表面３７の対向側の外方表面３８を有する。好ましくは、第２の側部フランジ３６は、内方表面３９及び内方表面３９の対向側の外方表面４０を有する。取付部分６２の第１の本体の第１の側部フランジ３５は、好ましくは第１の連結部分６１の第１の境界フランジ１７に連結する。取付部分６２の第１の本体２０の第２の側部フランジ３６は、好ましくは第１のウェブ１２の第２の境界フランジ１８に連結する。好ましくは、第１の側部フランジ３５及び第１の境界フランジ１７は、少なくとも部分的に非平行である。好ましくは、第２の側部フランジ３６及び第２の境界フランジ１８は、少なくとも部分的に非平行である。
【００３８】
最も好ましくは、図６及び図７に示すように、第１の側部フランジ３５とブリッジ部材１９の第１の境界フランジ１７との間の接合は、単純な屈曲部にて生じる。同様に、第２の側部フランジ３６と第２の境界フランジ１８との間の接合部は、単純な屈曲部である。
【００３９】
本発明の取付部分６２の第１の側部フランジ３５及び第２の側部フランジ３６は、第１の連結部分６１の第１の境界フランジ１７及び第２の境界フランジ１８から離れるように曲がり、それにより、第１の側部フランジ３５及び第２の側部フランジ３６は、中央ウェブ３に接合する位置にて中央ウェブ３をバトレス支持して、第１の側部フランジ３５及び第２の側部フランジ３６がブリッジ部材１９の第１の境界フランジ１７及び第２の境界フランジ１８に対して平行である場合よりもはるかに大きな抵抗をブリッジ部材１９の側方移動に対して生じさせる。
【００４０】
第１の側部フランジ３５及び第２の側部フランジ３６は、好ましくは直線状であり、鋭角で第１の境界フランジ１７及び第２の境界フランジ１８に合流する。これは、第１の側部フランジ３５と第１の境界フランジ１７との間の接合部を、及び第２の側部フランジ３６と第２の境界フランジ１８との間の接合部を連結固定する。また、第１の側部フランジ３５及び第２の側部フランジ３６は、曲線状であることが可能である。
【００４１】
図５〜図１０に示すように、好ましくは、第２の本体プレート２６は、第１の側部境界４１及び第２の側部境界４２を有する。第１の側部フランジ４３は、好ましくは第１の側部境界４１に対して装着され、第２の側部フランジ４４は、好ましくは第２の側部境界４２に対して装着される。図１２に示すように、好ましくは、第１の側部フランジ４３は、内方表面４５及び内方表面４５の対向側の外方表面４６を有する。好ましくは、第２の側部フランジ４４は、内方表面４７及び内方表面４７の対向側の外方表面４８を有する。第１の側部フランジ４３は、好ましくは第２のウェブ５２の第１の境界フランジ１７と接合する。第２の側部フランジ４４は、好ましくは第２のウェブ５２の第２の境界フランジ１８と接合する。好ましくは、第１の側部フランジ４３及び第１の境界フランジ１７は、少なくとも部分的に非平行である。好ましくは、第２のウェブ５２の第２の側部フランジ４４及び第２の境界フランジ１８は、少なくとも部分的に非平行である。
【００４２】
図７に示すように、典型的には、第１の本体２０の第１の側部フランジ３５は、下方エッジ９５を有し、第１の本体２０の第２の側部フランジ３６は、下方エッジ９６を有し、第２の本体２６の第１の側部フランジ４３は、下方エッジ９７を有し、第２の本体２６の第２の側部フランジ４４は、下方エッジ９８を有する。第１の下方エッジ９５、第２の下方エッジ９６、第３の下方エッジ９７、及び第４の下方エッジ９８は、部分的には材料節減及びそれとのバランスを取った強度により決定された種々の外形を有し得る。
【００４３】
好ましくは、取付部分６２の第２の本体２６の第１の側部フランジ４３は、第２の連結部分６３の第１の境界フランジ１７と接合し、取付部分６２の第２の本体２６の第２の側部フランジ４４は、第２の連結部分６３の第２の境界フランジ１８と接合する。
【００４４】
本発明の取付部分６２の第２の本体２６の第１の側部フランジ４３及び第２の側部フランジ４４は、第２の連結部分６３の第１の境界フランジ１７及び第２の境界フランジ１８から離れるように曲がり、それにより、第１の側部フランジ４３及び第２の側部フランジ４４は、それらの接合部にて中央ウェブ３をバトレス支持して、第１の側部フランジ４３及び第２の側部フランジ４４が第２の連結部分６３の第１の境界フランジ１７及び第２の境界フランジ１８に対して平行である場合よりもはるかに大きな抵抗をブリッジ部材１９の側方移動に対して生じさせる。
【００４５】
第３の側部フランジ４３及び第４の側部フランジ４４は、直線状であり、鋭角で第２のウェブ５２の第１の境界フランジ１７及び第２の境界フランジ１８に合流する。これは、第３の側部フランジ４３と第４の側部フランジ４４との間の接合部を、及び第１の境界フランジ１７と第２の境界フランジ１８との間の接合部を、一方向から連結固定する。
【００４６】
図７、図１１、及び図１２に示すように、第１の本体２０の第１の側部フランジ３５は、好ましくは内方端部エッジ８３を有する。第１の本体２０の第２の側部フランジ３６は、好ましくは内方端部エッジ８４を有する。第２の本体２６の第１の側部フランジ４３は、好ましくは内方端部エッジ８５を有する。第２の本体２６の第２の側部フランジ４４は、好ましくは内方端部エッジ８６を有する。内方端部エッジ８３、８４、８５、及び８６は、好ましくは壁間柱２の中央ウェブ３に対して連結固定され、それによりブリッジ部材１９の両端部にて第１の境界フランジ１７及び第２の境界フランジ１８を壁間柱２の中央ウェブ３へと結合して、取付部分６２の側部フランジ３５、３６、４３、及び４４の中の１つ又は複数を介して相互に支持する。
【００４７】
好ましくは、本発明の連結体１は、以下のステップにより形成される。初めに、第１のブリッジ部材１９が、好ましくは垂直壁間柱２の中央ウェブ３中の細長開口８に挿通される。好ましくは、その挿通中に、ブリッジ・コネクタ１９は、ブリッジ・コネクタ１９のネック３２が細長開口８の第１の長尺部分６６及び第２の長尺部分６７に対して直交しないように、位置決めされる。ブリッジ部材１９の第２の本体２６及び第２のウェブ５２は、細長開口８に挿通される。好ましくは、ブリッジ部材１９は、ネック３２が細長開口８の第１の長尺部分６６及び第２の長尺部分６７に対して直交し、第１の内方エッジ２３の第１のウェブ接合部分２４及び第２のウェブ接合部分２５が壁間柱２の中央ウェブ３に接合し、第１の内方エッジ２９の第１のウェブ接合部分３０及び第２のウェブ接合部分３１が壁間柱２の中央ウェブ３に接合するように、回転される。次いで、第１のブリッジ部材１９の第１の連結部分６１は、第２の間柱２０２に係合する取付部分２６２で受けられた第２のブリッジ部材２１９の第２の連結部分２６３へと連結される。
【００４８】
本発明によれば、第１のブリッジ部材１９及び第２のブリッジ部材２１９の第１の連結部分６１及び第２の連結部分６３は、溝形状であり、第１のブリッジ部材１９及び第２のブリッジ部材２１９のそれぞれの第１の連結部分６１及び２６１は、第１の幅を有し、第１のブリッジ部材１９及び第２のブリッジ部材２１９のそれぞれの第２の連結部分６３及び２６３は、異なる第２の幅を有し、第１の連結部分６１及び２６１の第１の幅は、第１のブリッジ部材及び第２のブリッジ部材の一方の第２の連結セクション６３が第１のブリッジ部材及び第２のブリッジ部材の他方の第１の連結セクション６１に入れ子式に係合し得るように、第２の連結部分６３及び２６３の第２の幅よりも若干広い。
【００４９】
図４及び図８に示すように、ブリッジ部材１９及び２１９を結合するための好ましい固定具８１は、図１に示すような金属ねじ８１である。しかし、溶接を含む任意の十分に強力な固定具８１が使用され得る。ねじ８１が使用される場合には、ブリッジ・コネクタ１９の第１の連結部分６１は、好ましくは選択されたねじ８１をぴったりと収容するようにサイズ設定された１つ又は複数の固定具開口８２を有して形成される。本発明のブリッジ・コネクタ１９の全ての形態が、第１のウェブ１２中の固定具開口８２と共に図示される。
【００５０】
追加の固定具８１を使用し、第１のウェブ５２などブリッジ部材１９上の他の位置に追加の固定具開口８２を有することが可能である。
【００５１】
図示するように、第１の本体プレート２０は、好ましくは壁間柱２の第１の側部フランジ９及び第２の側部フランジ１０により画定されない壁間柱２の中央ウェブ３の前方表面６に対して設置される。
【００５２】
また、壁間柱２の幅が十分である場合には、第１の本体プレート２０が壁間柱２の中央ウェブ３の反対表面７に当接した状態で、及び第２の本体プレート２６が前方表面６に当接した状態で、ブリッジ・コネクタ１９を設置することが可能である。
【００５３】
別個の固定具８１、溶接等を用いた又は用いない他の装着が、ブリッジ部材１９同士の間で可能であるが、最低限の個数の固定具８１を使用することが望ましい。なぜならば、それにより、材料コスト及び関連コストが節減されるからである。
【００５４】
好ましい実施例においては、連結固定部材１９及び２１９は、取付部分６２にて単一の間柱２又は２０２に装着するように、及び他のブリッジ部材１９及び２１９に連結することにより間柱２及び２０２を相互連結するように設計され、したがって、好ましい実施例においては、第１のブリッジ部材１９は、第２の間柱２０２の反対面７には達さず、第２の間柱２０２とは全く接触しない。同様に、第２のブリッジ部材２１９の取付部分６２は、第２の間柱２０２に装着され、第２のブリッジ部材２１９は、第１の間柱２の前方側部６には達さず、そのため第２のブリッジ部材２１９は、第１の間柱２とは全く接触しない。
【００５５】
好ましい実施例においては、第１の本体部分２０の第１の内方エッジ２３及び第１の側部フランジ３５の第１の内方端部エッジ８３の少なくとも一方が、第１の壁間柱２に対して第１のブリッジ部材１９を連結固定する。
【００５６】
本発明のブリッジ部材１９及び２１９の１つ又は複数と複数の間柱２及び２０２との間に連結体を作製する好ましい方法は、第１の本体２０及び２２０の第１の側部フランジ３５及び２３５の第１の内方エッジ８３及び２８３が間柱２及び２０２の中央ウェブ３及び２０３に隣接するように、複数の壁間柱２及び２０２の中央ウェブ３及び２０３に隣接して１つ又は複数のブリッジ部材１９及び２１９の第１の本体部分２０及び２２０を配置することと、ブリッジ部材１９及び２１９の第１の連結セクション６１及び２６１にブリッジ部材１９及び２１９の第２の連結部分６３及び２６３を固定することとを伴う。
【００５７】
ブリッジ部材１９及び２１９の第１の連結部分６１及び２６１並びに第２の連結部分６３及び２６３は、様々な長さであることが可能であり、切欠部５４及び２５４が、連結部分６１及び２６１、６３及び２６３の切取り調整を可能にするために、連結部分６１及び２６１、６３及び２６３の長尺フランジ１７及び１８、２１７及び２１８中に設けられ得る。図面に示すように、第２の連結部分６３及び２６３のみが、切欠部を備えるが、いずれか又は両方が、切欠部を備えることも可能である。好ましくは、連結部分６１及び２６１、６３及び２６３は、隣接し合う間柱２と２０２との間の標準間隔にわたって架かるように複数のブリッジ部材１９及び２１９を共に使用することに対応した選択位置にて切欠部を設けられてもよい。
【符号の説明】
【００５８】
１  建築用連結体
２  間柱
３  中央ウェブ
４  第１の側部
５  第２の側部
６  前面、前方表面
７  反対面、反対表面
８  開口、細長開口
９  第１の側部フランジ
１０  第２の側部フランジ
１２  第１のウェブ
１３  第１の境界
１４  第２の境界
１５  内側表面
１６  外側表面
１７  第１の境界フランジ
１８  第２の境界フランジ
１９  相互連結ブリッジ部材、第１のブリッジ部材、ブリッジ・コネクタ、連結固定部材
２０  第１の本体
２１  内側表面
２２  外側表面
２３  第１の内方エッジ
２４  第１のウェブ接合部分
２５  第２のウェブ接合部分
２６  第２の本体、第２の本体プレート
２７  内側表面
２８  外側表面
２９  第１の内方エッジ
３０  第１のウェブ接合部分
３１  第２のウェブ接合部分
３２  ネック
３３  第１の側部境界
３４  第２の側部境界
３５  第１の側部フランジ
３６  第２の側部フランジ
３７  内方表面
３８  外方表面
３９  内方表面
４０  外方表面
４１  第１の側部境界
４２  第２の側部境界
４３  第１の側部フランジ、第３の側部フランジ
４４  第２の側部フランジ、第４の側部フランジ
４５  内方表面
４６  外方表面
４７  内方表面
４８  外方表面
５２  第２の端部ウェブ、第２のウェブ
５４  切欠部
５７  第１の補剛フランジ
５８  第２の補剛フランジ
６０  長手方向中心軸線
６１  第１の連結部分
６２  取付部分
６３  第２の連結部分
６５  エッジ
６６  第１の長尺部分
６７  第２の長尺部分
６８  第１の凹状部分
６９  第２の凹状部分
７１  内側表面
７２  外側表面
７３  内側表面
７４  外側表面
７５  第１の外方エッジ
７６  第２の外方エッジ
８１  固定具、金属ねじ
８２  固定具開口
８３  内方端部エッジ、第１の内方端部エッジ
８４  内方端部エッジ
８５  内方端部エッジ
８６  内方端部エッジ
９５  下方エッジ、第１の下方エッジ
９６  下方エッジ、第２の下方エッジ
９７  下方エッジ、第３の下方エッジ
９８  下方エッジ、第４の下方エッジ
２０２  間柱、第２の間柱
２０３  中央ウェブ
２０６  前面
２０７  反対面
２０８  開口
２０９  第１の側部フランジ
２１０  第２の側部フランジ
２１２  第１の端部ウェブ
２１７  長尺フランジ
２１８  長尺フランジ
２１９  相互連結ブリッジ部材、第２のブリッジ部材、連結固定部材
２２０  第１の本体、第１の本体部分
２３５  第１の側部フランジ
２５４  切欠部
２６０  長手方向中心軸線
２６１  第１の連結部分
２６２  取付部分
２６３  第２の連結部分
２８３  第１の内方エッジ
【図１】
0006526977.tif 000002
【図２】
0006526977.tif 000003
【図３】
0006526977.tif 000004
【図４】
0006526977.tif 000005
【図５】
0006526977.tif 000006
【図６】
0006526977.tif 000007
【図７】
0006526977.tif 000008
【図８】
0006526977.tif 000009
【図９】
0006526977.tif 000010
【図１０】
0006526977.tif 000011
【図１１】
0006526977.tif 000012
【図１２】
0006526977.tif 000013
【図１３】
0006526977.tif 000014
【図１４】
0006526977.tif 000015
【図１５】
0006526977.tif 000016
【図１６】
0006526977.tif 000017
【図１７】
0006526977.tif 000018